(57)【要約】  【課題】ＨＤＤなどの大容量記憶装置に記憶された数多くの楽曲の中から、操作の煩わしさ無しに使用者に提供するのに適した楽曲などのコンテンツを選択するためのコンテンツ選択装置を提供すること。  【解決手段】使用者へ提供するコンテンツの選択を行うためのコンテンツ選択装置において、使用者とは別のある特定者のプロファイル情報に基づいて、選択対象コンテンツの中から使用者へ提供するコンテンツを選択するコンテンツ選択手段を装備する。  【選択図】  図１
2005293195.tif 000002
【特許請求の範囲】
【請求項１】
使用者へ提供するコンテンツの選択を行うためのコンテンツ選択装置において、
前記使用者とは別のある特定者のプロファイル情報に基づいて、選択対象コンテンツの
中から前記使用者へ提供するコンテンツを選択する第１のコンテンツ選択手段を備えてい
ることを特徴とするコンテンツ選択装置。
【請求項２】
前記第１のコンテンツ選択手段が、前記使用者へ提供するコンテンツとして、再生する
ための楽曲、受信するための放送番組、及び目的地とするための場所のいずれかを選択す
るものであることを特徴とする請求項１記載のコンテンツ選択装置。
【請求項３】
前記特定者のプロファイル情報に基づいて、コンテンツを選択するための選択条件を設
定する第１の選択条件設定手段を備え、
前記第１のコンテンツ選択手段が、前記第１の選択条件設定手段により設定された選択
条件に基づいて、前記選択対象コンテンツの中から前記選択条件を満たすコンテンツを選
択するものであることを特徴とする請求項１又は請求項２記載のコンテンツ選択装置。
【請求項４】
前記第１のコンテンツ選択手段が、前記特定者の嗜好度に応じて、コンテンツを選択す
るものであることを特徴とする請求項１〜３のいずれかの項に記載のコンテンツ選択装置
。
【請求項５】
前記特定者が、実在の人物、想像の人物、及び統計的データに基づいて作成された平均
的な人物のいずれかであることを特徴とする請求項１〜４のいずれかの項に記載のコンテ
ンツ選択装置。
【請求項６】
前記使用者のプロファイル情報に基づいて、前記特定者として、前記使用者と無相関で
ない者を設定する第１の特定者設定手段を備えていることを特徴とする請求項１〜５のい
ずれかの項に記載のコンテンツ選択装置。
【請求項７】
前記第１の特定者設定手段が、前記特定者として、所定の設定条件を満たす者を設定す
るものであり、
前記所定の設定条件に、前記使用者が好んでいること、又は前記使用者と所定のカテゴ
リーで共通又は類似していることが含まれていることを特徴とする請求項６記載のコンテ
ンツ選択装置。
【請求項８】
前記所定の設定条件に、前記使用者が好むアーティストであることが含まれ、
前記第１の特定者設定手段が、前記特定者として、前記使用者が好むアーティストを設
定するものであり、
前記第１のコンテンツ選択手段が、前記使用者へ提供するコンテンツとして、前記使用
者が好むアーティストがよく聴く楽曲を選択するものであることを特徴とする請求項７記
載のコンテンツ選択装置。
【請求項９】
前記所定の設定条件に、前記使用者が好む楽曲をよく聴いていることが含まれ、
前記第１の特定者設定手段が、前記特定者として、前記使用者が好む楽曲をよく聴いて
いる者を設定し、
前記第１のコンテンツ選択手段が、前記使用者へ提供するコンテンツとして、前記使用
者が好む楽曲をよく聴いている者がよく聴く楽曲を選択するものであることを特徴とする
請求項７記載のコンテンツ選択装置。
【請求項１０】
入力手段から得られる前記使用者の意思情報に基づいて、前記特定者を設定する第２の
特定者設定手段を備えていることを特徴とする請求項１〜５のいずれかの項に記載のコン
テンツ選択装置。
【請求項１１】
使用者へ提供するコンテンツの選択を行うためのコンテンツ選択装置において、
前記使用者のプロファイル情報と、多人数のプロファイル情報から得られる統計的デー
タとに基づいて、選択対象コンテンツの中から前記使用者へ提供するコンテンツを選択す
る第２のコンテンツ選択手段を備えていることを特徴とするコンテンツ選択装置。
【請求項１２】
これらプロファイル情報に、個人の行為から得られる情報、及び／又は該情報に基づい
て求められる前記個人に特有の性質を示した情報が含まれていることを特徴とする請求項
１１記載のコンテンツ選択装置。
【請求項１３】
前記個人の行為から得られる情報に、前記個人が訪問した場所に関する情報、前記個人
が金銭を支払うことにより、購入した商品又は受けたサービスに関する情報、及び前記個
人の所有又は使用する車両の種別に関する情報のいずれかが含まれていることを特徴とす
る請求項１２記載のコンテンツ選択装置。
【請求項１４】
前記第２のコンテンツ選択手段が、前記使用者へ提供するコンテンツとして、再生する
ための楽曲、受信するための放送番組、及び目的地とするための場所のいずれかを選択す
るものであることを特徴とする請求項１１〜１３のいずれかの項に記載のコンテンツ選択
装置。
【請求項１５】
前記使用者のプロファイル情報と、多人数のプロファイル情報から得られる統計的デー
タとに基づいて、コンテンツを選択するための選択条件を設定する第２の選択条件設定手
段を備え、
前記第２のコンテンツ選択手段が、前記第２の選択条件設定手段により設定された選択
条件に基づいて、前記選択対象コンテンツの中から前記選択条件を満たすコンテンツを選
択するものであることを特徴とする請求項１１〜１４のいずれかの項に記載のコンテンツ
選択装置。
【請求項１６】
前記第２のコンテンツ選択手段が、
前記使用者のプロファイル情報に基づいて得られる前記使用者が好む楽曲と、前記多人
数のプロファイル情報から得られる統計的データとに基づいて、
前記使用者が好む楽曲をよく聴く者が、該楽曲以外によく聴く楽曲を求め、
前記使用者へ提供するコンテンツとして、前記求めた楽曲を選択するものであることを
特徴とする請求項１１〜１５のいずれかの項に記載のコンテンツ選択装置。
【発明の詳細な説明】
【技術分野】
【０００１】
本発明はコンテンツ選択装置に関し、より詳細には、選択対象コンテンツ（例えば、楽
曲、テレビ番組、ラジオ番組、場所）の中から、使用者へ提供するコンテンツを選択する
ためのコンテンツ選択装置に関する。
【背景技術】
【０００２】
車室内で聴く音楽は、ドライバーが快適に運転するためや、ドライブを楽しいものとす
るためにも、ドライバーや乗員の聴きたいもの、好きなものとすることが好ましい。そこ
で、ドライバーの嗜好や、そのときの気分に合致した楽曲を提供するオーディオ装置など
が提案されている（例えば、下記の特許文献１、２参照）。特許文献１には、ドライバー
の嗜好を過去の聴いた実績に基づいて分析し、その分析結果に基づいて、前記ドライバー
の嗜好に合った楽曲を選択し、選択した楽曲を前記ドライバーに提供するオーディオ装置
について開示されている。
【０００３】
しかしながら、精度の高い嗜好の分析は容易ではなく、ドライバーの聴きたいものが正
しく選曲されないケースが多くなる可能性もある。また、ドライバーの嗜好に合った楽曲
を選択する場合には、毎回同じ楽曲が選択される可能性が高く、聴き飽きた楽曲ばかりが
提供される可能性も高い。
【０００４】
また、聴きたい音楽というのはその時々の気分などで変化することもあり、今日は聴き
たいと思っていた曲が、明日には聴きたくなくなったり、その逆に、今日は聴きたくない
と思っていた曲が、明日には聴きたくなることもある。従って、聴きたい音楽というのは
使用者（例えば、ドライバー）のその時々の気分などで選択されるのが好ましいこともあ
る。
【０００５】
しかしながら、楽曲の選択を使用者が全て行わなければならないのでは、操作が煩わし
くなる。特に、最近ではＨＤＤ（Hard Disk Drive ）などの大容量記憶装置が普及し、数
多くの楽曲（例えば、１０００曲）に関するデータを記憶させておくことができるように
なっているが、１０００曲もの楽曲の中から所望の楽曲を選択するのは決して容易なこと
ではない。
【０００６】
例えば、最近ではＨＤＤ１に、図２０に示したように、ＣＤ２−１〜ＣＤ２−ｎに収録
されている楽曲そのもののデータ（以降、楽曲データと記す）及びＴＯＣ（Table Of Con
tents ）情報（例えば、楽曲数や総演奏時間）が記憶され、さらにはＣＤに関する情報（
例えば、タイトル名や収録されている楽曲数、収録されている楽曲の総演奏時間、歌手名
、各楽曲の曲名・演奏時間）が記憶されている。
【０００７】
楽曲データやＴＯＣ情報については、ＣＤ２−１〜ＣＤ２−ｎからデータを読み出して
ＨＤＤ１に記憶させれば良く、ＣＤに関する情報については、これら情報を提供するサー
ビス機関３があるため、サービス機関３から提供される情報を取得してＨＤＤ１に記憶さ
せれば良い。なお、サービス機関３から提供されたＣＤに関する情報が、ＨＤＤ１に記憶
されているどの楽曲データに対応したものであるのかは、収録されている楽曲数と総演奏
時間から判断することができ、例えば、第１番目に記憶されている、タイトル名が「大発
明」であるＣＤ（楽曲数１６曲、総演奏時間５１分１２秒）に関する情報は、第２番目に
記憶されている楽曲データ（ＣＤ２−２に収録されていた楽曲データ）に対応したもので
あると判断することができる。
【特許文献１】特開２００２−１１４１０７号公報
【特許文献２】特開２００１−２８２８４７号公報
【発明の開示】
【課題を解決するための手段及びその効果】
【０００８】
本発明は上記課題に鑑みなされたものであって、ＨＤＤなどの大容量記憶装置に記憶さ
れた数多くの楽曲の中から、操作の煩わしさ無しに使用者に提供するのに適した楽曲を選
択したり、その他、テレビ番組やラジオ番組、目的地とする場所などを選択するためのコ
ンテンツ選択装置を提供することを目的としている。
【０００９】
上記目的を達成するために本発明に係るコンテンツ選択装置（１）は、使用者へ提供す
るコンテンツの選択を行うためのコンテンツ選択装置において、前記使用者とは別のある
特定者のプロファイル情報に基づいて、選択対象コンテンツの中から前記使用者へ提供す
るコンテンツを選択する第１のコンテンツ選択手段を備えていることを特徴としている。
【００１０】
上記コンテンツ選択装置（１）によれば、前記使用者とは別のある特定者のプロファイ
ル情報（例えば、「浜崎あゆみの歌っている曲が好き」）に基づいて、前記選択対象コン
テンツ（例えば、ＨＤＤに記憶された楽曲）の中から前記使用者へ提供するコンテンツ（
例えば、浜崎あゆみの歌っている楽曲）が選択される。
【００１１】
従って、前記使用者を煩わせること無しに、楽曲などのコンテンツを選択することが可
能となる。また、コンテンツの選択が前記使用者のプロファイル情報ではなく、別の特定
者（例えば、家族、友人）のプロファイル情報に基づいて行われるので、普段耳にするこ
との少ない楽曲が選択される可能性が高くなる。これにより、聴き飽きた楽曲ばかりが選
択される可能性を低くすることができる。
【００１２】
また、本発明に係るコンテンツ選択装置（２）は、上記コンテンツ選択装置（１）にお
いて、前記第１のコンテンツ選択手段が、前記使用者へ提供するコンテンツとして、再生
するための楽曲、受信するための放送番組、及び目的地とするための場所のいずれかを選
択するものであることを特徴としている。
【００１３】
上記コンテンツ選択装置（２）によれば、前記使用者へ提供するコンテンツとして、再
生するための楽曲、受信するための放送番組（例えば、テレビ番組、ラジオ番組）、及び
目的地とするための場所のいずれかが選択される。これにより、前記使用者を煩わせるこ
と無しに、ＨＤＤなどの大容量記憶媒体に記憶された数多くの楽曲の中からの楽曲の選択
や、数多く存在する受信可能なチャンネルからのチャンネルの選択、明確な目的のないド
ライブ時における目的地の選択が行われることとなる。
【００１４】
また、本発明に係るコンテンツ選択装置（３）は、上記コンテンツ選択装置（１）又は
（２）において、前記特定者のプロファイル情報に基づいて、コンテンツを選択するため
の選択条件を設定する第１の選択条件設定手段を備え、前記第１のコンテンツ選択手段が
、前記第１の選択条件設定手段により設定された選択条件に基づいて、前記選択対象コン
テンツの中から前記選択条件を満たすコンテンツを選択するものであることを特徴として
いる。
【００１５】
上記コンテンツ選択装置（３）によれば、前記特定者のプロファイル情報（例えば、「
浜崎あゆみのファン」、「乗りの良い曲が好き」）に基づいて設定された前記選択条件（
例えば、「浜崎あゆみの歌っている乗りの良い楽曲」）に基づいて、前記選択対象コンテ
ンツ（例えば、ＨＤＤに記憶された楽曲）の中から前記使用者へ提供するコンテンツ（例
えば、浜崎あゆみの歌っている乗りの良い楽曲）が選択される。
単にプロファイル情報からのコンテンツ選択では、選択処理の負荷が大きくなり過ぎる
おそれがあるが、前記選択条件を設定することによって、選択対象を絞ることができるの
で、選択処理の負荷を軽減することができる。
【００１６】
また、本発明に係るコンテンツ選択装置（４）は、上記コンテンツ選択装置（１）〜（
３）のいずれかにおいて、前記第１のコンテンツ選択手段が、前記特定者の嗜好度に応じ
て、コンテンツを選択するものであることを特徴としている。
【００１７】
上記コンテンツ選択装置（４）によれば、前記特定者の嗜好度に応じてコンテンツが選
択される。例えば、前記特定者（例えば、前記使用者の友人）が好む（又は嫌う）アーテ
ィストの楽曲や、前記特定者がよく聴いている楽曲、推奨するコンテンツ（例えば、楽曲
、番組、場所）が選択される。これにより、前記特定者にとってどうでも良いものではな
く、何らかの評価を下しているものを前記使用者へ提供するコンテンツとして選択するこ
とができる。
【００１８】
また、本発明に係るコンテンツ選択装置（５）は、上記コンテンツ選択装置（１）〜（
４）のいずれかにおいて、前記特定者が、実在の人物、想像の人物、及び統計的データに
基づいて作成された平均的な人物のいずれかであることを特徴としている。
【００１９】
上記コンテンツ選択装置（５）によれば、前記特定者が、実在の人物（例えば、家族、
友人、有名人）、想像の人物（例えば、メーカーが作成したキャラクター）、及び統計的
データに基づいて作成された平均的な人物（例えば、平均的な２０代男性）のいずれかで
ある。
【００２０】
前記特定者が、例えば、ある有名人（実在の人物）であれば、その有名人がよく聴いて
いる楽曲が前記使用者へ提供するコンテンツとして選択され、前記特定者が、ポップス好
き・流行り物好きのキャラクター（想像の人物）であれば、最近流行っているポップスの
楽曲が前記使用者へ提供するコンテンツとして選択される。また、前記特定者が、平均的
な２０代男性（統計的データに基づいて作成された平均的な人物）であれば、２０代男性
がよく聴いている楽曲が前記使用者へ提供するコンテンツとして選択される。これにより
、前記使用者へ提供されるコンテンツの幅を非常に大きくすることができる。
【００２１】
また、本発明に係るコンテンツ選択装置（６）は、上記コンテンツ選択装置（１）〜（
５）のいずれかにおいて、前記使用者のプロファイル情報に基づいて、前記特定者として
、前記使用者と無相関でない者を設定する第１の特定者設定手段を備えていることを特徴
としている。
【００２２】
上記コンテンツ選択装置（６）によれば、前記特定者として、前記使用者と無相関な者
ではなく、前記使用者と無相関でない者（例えば、家族、友人、好きなアーティスト、逆
に嫌いなアーティスト、同年代の者、逆に大きく歳の離れた者、出身地が同じ者、出身地
が大きく離れている者）が設定される。これにより、前記使用者と全く関係のない者では
なく、前記使用者が好きな（又は嫌いな）アーティストや、同年代の者（又は大きく歳の
離れた者）が推奨するコンテンツ（例えば、楽曲、番組、場所）を、前記使用者へ提供す
るコンテンツとして選択することなどができる。
【００２３】
また、本発明に係るコンテンツ選択装置（７）は、上記コンテンツ選択装置（６）にお
いて、前記第１の特定者設定手段が、前記特定者として、所定の設定条件を満たす者を設
定するものであり、前記所定の設定条件に、前記使用者が好んでいること、又は前記使用
者と所定のカテゴリーで共通又は類似していることが含まれていることを特徴としている
。
【００２４】
上記コンテンツ選択装置（７）によれば、前記特定者として、前記所定の設定条件を満
たす者が設定され、該所定の設定条件に、前記使用者が好んでいること、又は前記使用者
と前記所定のカテゴリー（例えば、年齢、出身地）で共通又は類似していることが含まれ
ている。例えば、使用者の好きなアーティストや、同年代の者、出身地が同じ又は近い者
が推奨するコンテンツ（例えば、楽曲、番組、場所）を、前記使用者へ提供するコンテン
ツとして選択することなどができる。これにより、前記使用者が好むコンテンツを選択す
る可能性を高くすることができる。
【００２５】
また、本発明に係るコンテンツ選択装置（８）は、上記コンテンツ選択装置（７）にお
いて、前記所定の設定条件に、前記使用者が好むアーティストであることが含まれ、前記
第１の特定者設定手段が、前記特定者として、前記使用者が好むアーティストを設定する
ものであり、前記第１のコンテンツ選択手段が、前記使用者へ提供するコンテンツとして
、前記使用者が好むアーティストがよく聴く楽曲を選択するものであることを特徴として
いる。
【００２６】
上記コンテンツ選択装置（８）によれば、前記使用者へ提供するコンテンツとして、前
記使用者が好むアーティストがよく聴く楽曲が選択される。これにより、前記使用者が好
む楽曲が選択される可能性を非常に高くすることができる。また、前記使用者は自身が好
むアーティストがよく聴く楽曲を知ることもできる。
【００２７】
また、本発明に係るコンテンツ選択装置（９）は、上記コンテンツ選択装置（７）にお
いて、前記所定の設定条件に、前記使用者が好む楽曲をよく聴いていることが含まれ、前
記第１の特定者設定手段が、前記特定者として、前記使用者が好む楽曲をよく聴いている
者を設定し、前記第１のコンテンツ選択手段が、前記使用者へ提供するコンテンツとして
、前記使用者が好む楽曲をよく聴いている者がよく聴く楽曲を選択するものであることを
特徴としている。
【００２８】
上記コンテンツ選択装置（９）によれば、前記使用者へ提供するコンテンツとして、前
記使用者が好む楽曲をよく聴いている者がよく聴く楽曲が選択される。これにより、前記
使用者が好む楽曲が選択される可能性を非常に高くすることができる。
【００２９】
また、本発明に係るコンテンツ選択装置（１０）は、上記コンテンツ選択装置（１）〜
（５）のいずれかにおいて、入力手段から得られる前記使用者の意思情報に基づいて、前
記特定者を設定する第２の特定者設定手段を備えていることを特徴としている。
【００３０】
上記コンテンツ選択装置（１０）によれば、前記特定者が前記使用者によって設定され
るので、前記使用者が好むコンテンツが選択される可能性を非常に高くすることができる
。
【００３１】
また、本発明に係るコンテンツ選択装置（１１）は、使用者へ提供するコンテンツの選
択を行うためのコンテンツ選択装置において、前記使用者のプロファイル情報と、多人数
のプロファイル情報から得られる統計的データとに基づいて、選択対象コンテンツの中か
ら前記使用者へ提供するコンテンツを選択する第２のコンテンツ選択手段を備えているこ
とを特徴としている。
【００３２】
上記コンテンツ選択装置（１１）によれば、前記使用者のプロファイル情報だけでなく
、前記使用者のプロファイル情報（例えば、「楽曲ａをよく聴いている」）と、多人数の
プロファイル情報から得られる統計的データ（例えば、「楽曲ａをよく聴いている者の多
くは、楽曲ｂをよく聴いている」）とに基づいて、前記選択対象コンテンツ（例えば、Ｈ
ＤＤに記憶された楽曲）の中から前記使用者へ提供するコンテンツ（例えば、楽曲ｂ）が
選択される。
【００３３】
例えば、前記使用者の過去履歴情報（プロファイル情報）と、他の多人数の好み（統計
的データ）とから、前記使用者が好むと推定されるコンテンツを選択することができる。
従って、前記使用者を煩わせること無しに、前記使用者へ提供するコンテンツとして、前
記使用者が好むと推定されるものを選択することができる。
【００３４】
また、本発明に係るコンテンツ選択装置（１２）は、上記コンテンツ選択装置（１１）
において、これらプロファイル情報に、個人の行為から得られる情報、及び／又は該情報
に基づいて求められる前記個人に特有の性質を示した情報が含まれていることを特徴とし
ている。
【００３５】
上記コンテンツ選択装置（１２）によれば、前記使用者のプロファイル情報、及び前記
統計的データを求める元になるプロファイル情報に、個人の行為から得られる情報（例え
ば、過去に聴いた楽曲、過去に見たテレビ番組）、及び／又は前記情報に基づいて求めら
れる前記個人に特有の性質を示した情報（例えば、好きな楽曲、好きなアーティスト、好
きなテレビ番組）が含まれている。
【００３６】
これにより、例えば、前記使用者へ提供するコンテンツとして、前記使用者と同じよう
な行動を取る者（例えば、好きなテレビ番組が同じ）がよく聴いている楽曲などを選択す
ることができる。従って、前記使用者が好むと推定されるものを高い精度で選択すること
ができる。
【００３７】
また、本発明に係るコンテンツ選択装置（１３）は、上記コンテンツ選択装置（１２）
において、前記個人の行為から得られる情報に、前記個人が訪問した場所に関する情報、
前記個人が金銭を支払うことにより、購入した商品又は受けたサービスに関する情報、及
び前記個人の所有又は使用する車両の種別に関する情報のいずれかが含まれていることを
特徴としている。
【００３８】
上記コンテンツ選択装置（１３）によれば、前記個人の行為から得られる情報に、前記
個人が訪問した場所に関する情報、前記個人が金銭を支払うことにより、購入した商品又
は受けたサービスに関する情報、及び前記個人の所有又は使用する車両の種別に関する情
報のいずれかが含まれている。
【００３９】
これにより、例えば、前記使用者へ提供するコンテンツとして、前記使用者とよく行く
コンビニエンスストアの種別が同じ者や、前記使用者と同じような者を買っている者、前
記使用者と乗っている車両の種別が同じ者（すなわち、好みが同じ又は近い者）がよく聴
いている楽曲などを選択することができる。従って、前記使用者が好むと推定されるもの
をより一層高い精度で選択することができる。また、例えば、前記使用者は軽自動車に乗
っている場合に、軽自動車ではなく高級車に乗っている者が好んでいるコンテンツ（楽曲
など）を選択するようにすれば、前記使用者の視野を広げることもできる。
【００４０】
また、本発明に係るコンテンツ選択装置（１４）は、上記コンテンツ選択装置（１１）
〜（１３）のいずれかにおいて、前記第２のコンテンツ選択手段が、前記使用者へ提供す
るコンテンツとして、再生するための楽曲、受信するための放送番組、及び目的地とする
ための場所のいずれかを選択するものであることを特徴としている。
【００４１】
上記コンテンツ選択装置（１４）によれば、前記使用者へ提供するコンテンツとして、
再生するための楽曲、受信するための放送番組（例えば、テレビ番組、ラジオ番組）、及
び目的地とするための場所のいずれかが選択される。これにより、前記使用者を煩わせる
こと無しに、ＨＤＤなどの大容量記憶媒体に記憶された数多くの楽曲の中からの楽曲の選
択や、数多く存在する受信可能なチャンネルからのチャンネルの選択、明確な目的のない
ドライブ時における目的地の選択が行われることとなる。
【００４２】
また、本発明に係るコンテンツ選択装置（１５）は、上記コンテンツ選択装置（１１）
〜（１４）のいずれかにおいて、前記使用者のプロファイル情報と、多人数のプロファイ
ル情報から得られる統計的データとに基づいて、コンテンツを選択するための選択条件を
設定する第２の選択条件設定手段を備え、前記第２のコンテンツ選択手段が、前記第２の
選択条件設定手段により設定された選択条件に基づいて、前記選択対象コンテンツの中か
ら前記選択条件を満たすコンテンツを選択するものであることを特徴としている。
【００４３】
上記コンテンツ選択装置（１５）によれば、前記使用者のプロファイル情報と、前記統
計的データとからのコンテンツ選択では、選択処理の負荷が大きくなり過ぎるおそれがあ
るが、前記選択条件を設定することによって、選択対象を絞ることができるので、選択処
理の負荷を軽減することができる。
【００４４】
また、本発明に係るコンテンツ選択装置（１６）は、上記コンテンツ選択装置（１１）
〜（１５）のいずれかにおいて、前記第２のコンテンツ選択手段が、前記使用者のプロフ
ァイル情報に基づいて得られる前記使用者が好む楽曲と、前記多人数のプロファイル情報
から得られる統計的データとに基づいて、前記使用者が好む楽曲をよく聴く者が、該楽曲
以外によく聴く楽曲を求め、前記使用者へ提供するコンテンツとして、前記求めた楽曲を
選択するものであることを特徴としている。
【００４５】
上記コンテンツ選択装置（１６）によれば、前記使用者へ提供するコンテンツとして、
前記使用者が好む楽曲をよく聴いている者がよく聴く楽曲が選択される。これにより、前
記使用者が好む楽曲が選択される可能性を非常に高くすることができる。
【発明を実施するための最良の形態】
【００４６】
以下、本発明に係るコンテンツ選択装置の実施の形態を図面に基づいて説明する。図１
は、実施の形態（１）に係るコンテンツ選択装置を含んで構成される、ナビゲーション機
能を有したオーディオ装置の要部を概略的に示したブロック図である。図中１１はオーデ
ィオ装置を示しており、車両Ｍに装備されるようになっている。
【００４７】
オーディオ装置１１は、メイン制御部であるオーディオ用制御部１３及びナビゲーショ
ン用制御部１４を含むマイコン１２と、アンテナ１５からテレビ放送波やラジオ放送波を
受信するための放送波受信機１６と、地図データ等が記憶されたＤＶＤ−ＲＯＭ１７から
地図データ等を読み出すためのＤＶＤドライブ１８と、ボタンスイッチ１９ａを有したリ
モコン１９と、ボタンスイッチ２０ａ及び表示パネル２０ｂを有した表示装置２０と、音
声を電気信号に変換するマイクロフォン２１と、マイクロフォン２１で変換された電気信
号を処理して音声を認識するための音声認識部２２と、マイコン１２からの文字データを
処理して合成音声データを生成する音声合成部２３と、音声合成部２３で生成された合成
音声データを増幅する増幅器２４と、増幅された合成音声データを音声として出力するス
ピーカ２５とを含んで構成されている。なお、文字データではない、楽曲データなどの音
声データについては音声合成部２３を介さずに、スピーカ２５から出力されるようになっ
ている。また、ＤＶＤドライブ１８はＣＤの再生も可能となっている。
【００４８】
また、表示パネル２０ｂの上下左右には複数の赤外線ＬＥＤ（図示せず）と複数のフォ
トトランジスタ（図示せず）とが対向して配置され、指が表示パネル２０ｂに触れた位置
を検出することができるように構成され、検出された結果についてはマイコン１２で取得
することができるようになっている。
【００４９】
マイコン１２に接続されている携帯電話などの移動体通信機２６は、サーバー（図示せ
ず）からの情報などの受信に用いるものであり、マイコン１２は移動体通信機２６を介し
てサーバーからの情報（例えば、楽曲に関する情報や、放送番組の内容を示した情報）を
取得することができるようになっている。
【００５０】
また、マイコン１２に接続されているＧＰＳ受信機２７は、アンテナ２８を介して衛星
からのＧＰＳ信号を受信するものであり、マイコン１２はＧＰＳ信号に基づいて車両Ｍの
現在位置を割り出すことができるようになっている。また、マイコン１２には車両Ｍの速
度に関するデータを検出するための車速センサ２９と、車両Ｍの進行方向に関するデータ
を取得するためのジャイロセンサ３０と、磁気ディスク（図示せず）で構成され、データ
の読み書きが可能であり、プロファイルデータや、楽曲データ、楽曲情報に関するデータ
など各種データが記憶されたＨＤＤ３１とが接続されている。なお、ここでは地図データ
が記憶されたＤＶＤ−ＲＯＭ１７を採用しているが、別の実施の形態では、ＤＶＤ−ＲＯ
Ｍ１７ではなく、その他の記憶媒体、記憶装置を採用しても良く、例えば、地図データが
記憶されたＨＤＤを採用しても良い。
【００５１】
図２は、ＨＤＤ３１に記憶されているデータの一部を示した図であり、ＨＤＤ３１には
ユーザーの名前や生年月日、血液型、性別など、ユーザー自身によって入力されるプロフ
ァイル情報に関するデータ（プロファイルデータＤ１）と、ユーザーが視聴又は聴取した
放送番組の内容を示した情報（例えば、前記放送番組のジャンル情報、前記放送番組への
出演者情報、前記放送番組の中で流れた楽曲情報）や、ユーザーが聴取した楽曲情報、ユ
ーザーが訪問した場所情報など、ユーザーの視聴等した履歴に関するデータ（履歴データ
Ｄ２としてのプロファイルデータ）と、これら履歴に関するデータから求められるユーザ
ーに特有の性質を示した情報（例えば、ユーザーの嗜好）に関するデータ（学習データＤ
３としてのプロファイルデータ）とが記憶され、さらには日本語知識データＤ４と、楽曲
そのもののデータ（楽曲データＤ５）と、楽曲情報に関するデータ（楽曲情報データＤ６
）と、映像データＤ７と、キャラクタデータＤ８と、対話シナリオデータＤ９と、コンテ
ンツデータＤ１０と、音声認識辞書データＤ１１と、音声合成辞書データＤ１２と、メモ
リカードなどの記憶媒体から取り込んだデータ（各種メディアデータＤ１３）と、その他
の保存データＤ１４とが記憶されている。
【００５２】
図３は、ＨＤＤ３１に記憶されている楽曲データ、及び楽曲情報に関するデータの一部
を示した図であり、ＨＤＤ３１にはＣＤ２−１〜ＣＤ２−ｎ（図２０参照）に収録されて
いる楽曲データ及びＴＯＣ情報（例えば、ＣＤに収録されている楽曲数や総演奏時間）に
関するデータが記憶され、さらにはＣＤに関する情報（例えば、タイトル名、収録されて
いる楽曲数、収録されている楽曲の総演奏時間、歌手名、リリースされた年月日、収録さ
れている各楽曲の曲名・演奏時間・ジャンル・イメージ）に関するデータが記憶されてい
る。イメージについては、楽曲の激しさやスピード感が５段階（レベル１〜レベル５）で
表され、例えば、楽曲『特許ａ』の激しさはレベル２（穏やか）、スピード感はレベル４
（速い）であるので、楽曲『特許ａ』はスピード感はあるが、やや穏やかな曲ということ
になる。
【００５３】
楽曲データやＴＯＣ情報に関するデータについては、ＣＤ２−１〜ＣＤ２−ｎからデー
タを読み出してＨＤＤ３１に記憶させれば良く、ＣＤに関する情報（すなわち、楽曲情報
）については、これら情報を提供する機関などから、移動体通信機２６を使って取得して
ＨＤＤ３１に記憶させれば良い。なお、前記機関から提供されたＣＤに関する情報が、Ｈ
ＤＤ３１に記憶されているどの楽曲データに対応したものであるのかは、収録されている
楽曲数と総演奏時間から判断することができ、例えば、第１番目に記憶されている、タイ
トル名が「大発明」であるＣＤ（楽曲数１６曲、総演奏時間５１分１２秒）に関する情報
は、第２番目に記憶されている楽曲データ（ＣＤ２−２に収録されている楽曲データ）に
対応したものであると判断することができる。
【００５４】
図４は、ＨＤＤ３１に記憶されているユーザーのプロファイルデータの一部を示した図
であり、ユーザーの名前、生年月日、血液型、性別、楽曲の嗜好情報、テレビ・ラジオ放
送番組の嗜好情報、訪問場所の嗜好情報、好きなアーティスト、好きな楽曲、好きなテレ
ビ・ラジオ番組、好きな訪問場所について記憶されている。楽曲の嗜好情報は、曲の激し
さ、スピード感、ロック、ポップス、ジャズ、クラシック、演歌などが５段階（レベル１
〜レベル５）で表されている。
【００５５】
例えば、曲の激しさがレベル４であれば、ユーザーは激しい曲を比較的好んでいると判
断することができ、ロックがレベル４で、演歌がレベル１であれば、ユーザーが演歌より
もロックを好んで聴くと判断することができる。また、テレビ・ラジオ放送番組の嗜好情
報はニュース、スポーツ、歌、バラエティ、ドキュメントなどが５段階で表され、訪問場
所の嗜好情報は公園、スポーツ、寺・神社、テーマパーク、映画館などが５段階で表され
ている。
【００５６】
実施の形態（１）に係るコンテンツ選択装置を含んで構成される、オーディオ装置１１
におけるマイコン１２（オーディオ用制御部１３）の行う処理動作［１−１］を図５に示
したフローチャートに基づいて説明する。なお、この処理動作［１−１］はオーディオ装
置の電源がオンされたときに行われる動作である。まず、初期設定として、ＨＤＤ３１か
ら対話シナリオデータＤ９を読み出し、マイコン１２内のメモリ（図示せず）に記憶させ
る（ステップＳ１）。
【００５７】
次に、メニュー画面データを表示装置２０へ出力することによって、図６に示したよう
なメニュー画面を表示パネル２０ｂへ表示させる（ステップＳ２）。図中Ｅ１は擬人化し
たエージェントを示している。次に、対話シナリオデータＤ９に基づいて、所定の案内文
データを作成し、作成した案内文データを音声合成部２３へ出力することによって、スピ
ーカ２５より音声で案内文を出力させる（ステップＳ３）。例えば、「操作のお手伝いを
しましょうか？」といった案内文をスピーカ２５より出力させる。なお、このときエージ
ェントＥ１が案内をしているように、エージェントＥ１の口などを動かすようにする方が
望ましい。
【００５８】
その後、マイクロフォン２１から得られる情報に基づいて、ユーザーからの「Ｙｅｓ」
に相当する応答があったか否かを判断し（ステップＳ４）、ユーザーからの「Ｙｅｓ」に
相当する応答があったと判断すれば、次に、ナビゲーション機能及びオーディオ機能のい
ずれかの稼働選択が可能な画面を表示パネル２０ｂへ表示させると共に（ステップＳ５）
、対話シナリオデータＤ９に基づいて、所定の案内文データを作成し、上記と同様に、ス
ピーカ２５より音声で所定の案内文を出力させる（ステップＳ６）。例えば、「ナビゲー
ション機能を稼働させますか、それともオーディオ機能を稼働させますか？」といった案
内文をスピーカ２５より出力させる。
【００５９】
その後、マイクロフォン２１から得られる情報に基づいて、ユーザーからの「ナビゲー
ション」に相当する応答があったか否かを判断し（ステップＳ７）、ユーザーからの「ナ
ビゲーション」に相当する応答があったと判断すれば、ナビゲーション用制御部１４に対
して目的地設定などの『ナビゲーション処理』（図７参照）を行うように指示する（ステ
ップＳ８）。
【００６０】
次に、ユーザーからのオーディオ機能を稼働させる指示があったか否か（例えば、リモ
コン１９に設けられているナビゲーション機能とオーディオ機能とを切り替えるための切
替スイッチが押下されたか否か）を判断し（ステップＳ９）、ユーザーからのオーディオ
機能を稼働させる指示があったと判断すれば、『オーディオ処理』（図１０参照）を行う
（ステップＳ１０）。一方、オーディオ機能を稼働させる指示はないと判断すれば、その
ままステップＳ９へ戻る。
【００６１】
一方、ステップＳ７において、ユーザーからの「ナビゲーション」に相当する応答はな
いと判断すれば、次に、ユーザーからの「オーディオ」に相当する応答があったか否かを
判断し（ステップＳ１１）、「オーディオ」に相当する応答があったと判断すれば、『オ
ーディオ処理』（図１０参照）を行う（ステップＳ１０）。一方、「オーディオ」に相当
する応答はないと判断すれば、ステップＳ７へ戻る。
【００６２】
また、ステップＳ４において、ユーザーからの「Ｙｅｓ」に相当する応答はないと判断
すれば、次に、ユーザーからの「Ｎｏ」に相当する応答があったか否かを判断し（ステッ
プＳ１２）、「Ｎｏ」に相当する応答があったと判断すれば、次に、対話シナリオデータ
Ｄ９に基づいて、所定の案内文データを作成し、スピーカ２５より音声で所定の案内文を
出力させる（ステップＳ１３）。例えば、「では、必要になれば私（エージェントＥ１）
を呼び出してください」といった案内文をスピーカ２５より出力させる。その後、エージ
ェントによる支援のない処理、すなわちユーザーの操作（手動や音声）だけに基づいた『
ユーザー操作処理』（図１８参照）を行う（ステップＳ１４）。
【００６３】
一方、ステップＳ１２において、ユーザーからの「Ｎｏ」に相当する応答はないと判断
すれば、ステップＳ４へ戻る。なお、所定の時間（例えば、６秒）が経過しても、「Ｙｅ
ｓ」、「Ｎｏ」のいずれの応答もない場合は、「Ｙｅｓ」と判断して、ステップＳ５へ進
むようにしても良い。また、「Ｙｅｓ」、「Ｎｏ」、「ナビゲーション」、「オーディオ
」の応答については音声に限定されず、表示パネル２０ｂへのタッチ操作などを採用して
も良い。
【００６４】
次に、実施の形態（１）に係るコンテンツ選択装置を含んで構成される、オーディオ装
置１１におけるマイコン１２（ナビゲーション用制御部１４）の行う処理動作［１−２］
を図７に示したフローチャートに基づいて説明する。なお、この処理動作［１−２］はメ
イン制御部であるオーディオ用制御部１３からナビゲーション処理を行う指示がなされた
場合（図５のステップＳ８）に行われる動作である。
【００６５】
まず、音声認識用の語彙をナビゲーション用に限定する（例えば、オーディオ用の語彙
を外す）ことによって、音声認識力を高める（ステップＳ２１）。別の実施の形態では、
音声認識用の語彙を限定するのではなく、語彙の重み付けを行うようにしても良い。例え
ば、オーディオ用の語彙のヒット確率を下げるように重み付けを行う。
【００６６】
次に、ナビゲーション用のメニュー画面を表示パネル２０ｂへ表示させると共に（ステ
ップＳ２２）、対話シナリオデータＤ９に基づいて、所定の案内文データを作成し、スピ
ーカ２５より音声で所定の案内文を出力させる（ステップＳ２３）。例えば、「目的地を
選択してもよろしいでしょうか？」といった案内文をスピーカ２５より出力させる。
【００６７】
その後、マイクロフォン２１から得られる情報に基づいて、ユーザーからの「Ｙｅｓ」
に相当する応答があったか否かを判断し（ステップＳ２４）、ユーザーからの「Ｙｅｓ」
に相当する応答があったと判断すれば、次に、『目的地選択処理』（図８参照）を行う（
ステップＳ２５）。
【００６８】
目的地Ｇの選択処理が完了すると、目的地Ｇまで車両Ｍを誘導する誘導処理を行い（ス
テップＳ２６）、次に、車両Ｍが目的地Ｇへ到達したか否かを判断する（ステップＳ２７
）。車両Ｍが目的地Ｇへ到達していないと判断すれば、車両Ｍが目的地Ｇへ到達するまで
に要する時間Ｔａを算出し（ステップＳ２８）、その後、ステップＳ２６へ戻る。一方、
車両Ｍが目的地Ｇへ到達していると判断すれば、時間Ｔａを０にして（ステップＳ２９）
、処理動作［１−２］を終了する。
【００６９】
また、ステップＳ２４において、ユーザーからの「Ｙｅｓ」に相当する応答はないと判
断すれば、次に、ユーザーからの「Ｎｏ」に相当する応答があったか否かを判断し（ステ
ップＳ３０）、「Ｎｏ」に相当する応答があったと判断すれば、次に、目的地選択以外の
別のナビゲーション処理を行う（ステップＳ３１）。
【００７０】
一方、ステップＳ３０において、ユーザーからの「Ｎｏ」に相当する応答はないと判断
すれば、ステップＳ２４へ戻る。なお、所定の時間（例えば、６秒）が経過しても、「Ｙ
ｅｓ」、「Ｎｏ」のいずれの応答もない場合は、「Ｙｅｓ」と判断して、ステップＳ２５
へ進むようにしても良い。また、「Ｙｅｓ」、「Ｎｏ」の応答については音声に限定され
ず、表示パネル２０ｂへのタッチ操作などを採用しても良い。
【００７１】
次に、実施の形態（１）に係るコンテンツ選択装置を含んで構成される、オーディオ装
置１１におけるマイコン１２（ナビゲーション用制御部１４）の行う『目的地選択処理』
（図７のステップＳ２５）を図８に示したフローチャートに基づいて説明する。まず、目
的地Ｇの選択に使用するプロファイル情報を設定し、設定したプロファイル情報をＨＤＤ
３１から読み出すなどの『プロファイル情報の設定・読出処理』（図９参照）を行い（ス
テップＳ４１）、その後、ステップＳ４２へ進む。
【００７２】
なお、使用可能なプロファイル情報としては、ユーザーのプロファイル情報や、ユーザ
ーの家族・友人、アーティスト（例えば、ユーザーの好きなアーティスト）などユーザー
本人以外のプロファイル情報などが挙げられる。目的地Ｇの選択にユーザー本人以外のプ
ロファイル情報を使用すれば、例えば、ユーザーの父の好きな場所を目的地Ｇとして選択
したり、ユーザーの好きなアーティストのよく行く場所を目的地Ｇとして選択することが
できるようになる。
【００７３】
ステップＳ４２では、ＨＤＤ３１から読み出したプロファイル情報に基づいて、目的地
Ｇを選択するための選択条件を設定する。例えば、ユーザーの友人がテーマパークや公園
へ行くことを好むのであれば、『テーマパーク』と『公園』とを選択条件に設定する。ま
た、より具体的に『○×ランド』へ行くことが好きであれば、それを選択条件にしても良
い。また、ユーザーの過去の訪問履歴データに基づいて、最近テーマパークを訪問してい
れば、『テーマパーク以外』を選択条件に設定しても良い。
【００７４】
次に、ＤＶＤ−ＲＯＭ１７から読み出しておいた施設データや、ＨＤＤ３１に記憶され
ているコンテンツデータ、及び設定した選択条件に基づいて、目的地Ｇを選択し（ステッ
プＳ４３）、選択した場所に関する情報（例えば、施設名、所在地、ジャンル）と、誰の
プロファイル情報を使用したのかとを、現在の時間（例えば、年月日、時刻）と対応づけ
て訪問履歴情報としてＨＤＤ３１に記憶させる（ステップＳ４４）。
【００７５】
なお、選択した場所については、ユーザーが実際に訪問するかどうか分からないので、
別の実施の形態では、前記場所へ到達したときに、該場所に関する情報を訪問履歴情報と
してＨＤＤ３１へ記憶させるようにしても良い。また、さらに別の実施の形態では、ユー
ザーにより目的地Ｇが変更された場合、ユーザーは前記場所を好んでいないと判定し、該
判定結果をユーザーの履歴情報としてＨＤＤ３１に記憶させるようにしても良い。この履
歴情報を用いれば、ユーザーの好まない場所を目的地Ｇとして選択する可能性を低くする
ことができる。
【００７６】
次に、実施の形態（１）に係るコンテンツ選択装置を含んで構成される、オーディオ装
置１１におけるマイコン１２（ナビゲーション用制御部１４）の行う『プロファイル情報
の読出・設定処理』（図８のステップＳ４１）を図９に示したフローチャートに基づいて
説明する。まず、目的地Ｇの選択に使用するプロファイル情報を、所定の条件に基づいて
設定する（ステップＳ５１）。使用可能なプロファイル情報としては、ユーザー本人のプ
ロファイル情報や、ユーザーの家族・友人、アーティストなどユーザー本人以外のプロフ
ァイル情報が挙げられる。なお、目的地Ｇの選択に使用するプロファイル情報の設定方法
としては、ランダムに設定する方法や、過去のプロファイル情報設定履歴に基づいて設定
する方法（例えば、前回使用したプロファイル情報は避ける）などが挙げられる。また、
ユーザー本人に誰のプロファイル情報を使用すれば良いのかを選択させるようにしても良
い。
【００７７】
次に、使用するプロファイル情報がユーザー本人のものであるか否かを判断し（ステッ
プＳ５２）、ユーザー本人のものであると判断すれば、ＨＤＤ３１からユーザー本人のプ
ロファイル情報を読み出す（ステップＳ５３）。一方、使用するプロファイル情報がユー
ザー本人のものでないと判断すれば、次に、使用するプロファイル情報がユーザーの家族
・友人のものであるか否かを判断する（ステップＳ５４）。
【００７８】
使用するプロファイル情報がユーザーの家族・友人のものであると判断すれば、所定の
条件に基づいて、家族・友人の中から一人を選択し（ステップＳ５５）、選択したものの
プロファイル情報を読み出す（ステップＳ５６）。なお、ユーザーの家族・友人のプロフ
ァイル情報を読み出すには、ユーザー本人のプロファイル情報と同様に、ユーザーの家族
・友人のプロファイル情報をＨＤＤ３１へ記憶させておけば良い。
【００７９】
一方、使用するプロファイル情報がユーザーの家族・友人のものでもないと判断すれば
、次に、ユーザーのプロファイル情報を読み出し（ステップＳ５７）、読み出したユーザ
ーのプロファイル情報に基づいて、ユーザーの好きなアーティストを設定し（ステップＳ
５８）、設定したアーティストのプロファイル情報を移動体通信機２６を使って外部（例
えば、サーバー）から取得する（ステップＳ５９）。なお、前記アーティストのプロファ
イル情報については、ＨＤＤ３１に記憶されている場合、外部から取り込まなくても良い
。
【００８０】
ユーザー本人のプロファイル情報ではなく、ユーザー本人以外のプロファイル情報に基
づいて、目的地Ｇを選択すれば、普段訪問することの少ない場所へ訪問することができる
ようになり、ドライブをより楽しいものとすることができる。また、ここでは目的地Ｇの
選択に使用するユーザー本人以外のプロファイル情報として、ユーザーの家族・友人、ユ
ーザーの好きなアーティストのプロファイル情報を挙げているが、ユーザー本人以外のプ
ロファイル情報がこれらに限定されないことは言うまでもなく、アーティスト以外の有名
人や、有名人ではない一般人であっても良い。例えば、ユーザーがよく訪問する場所を同
じようによく訪問する人（有名人や一般人）のプロファイル情報を使用して、前記人が他
によく訪問する場所（ユーザーが好きな可能性が高いと推定される場所）を目的地Ｇに設
定しても良い。
【００８１】
また、別の実施の形態では、ユーザーの家族・友人のように、実在の人物でなくても良
く、例えば、想像の人物（例えば、メーカーが作成したキャラクター）や、統計的データ
に基づいて作成された平均的な人物（例えば、平均的な大阪在住の２０代男性、スポーツ
好きの３０代女性）などであっても良い。これにより、例えば、使用するプロファイル情
報の設定条件を、ユーザーと同年代の者（すなわち、生まれた年が同じ、又は近い者）な
どと設定することができる。
【００８２】
次に、実施の形態（１）に係るコンテンツ選択装置を含んで構成される、オーディオ装
置１１におけるマイコン１２（オーディオ用制御部１３）の行う『オーディオ処理』（図
５のステップＳ１０）を図１０に示したフローチャートに基づいて説明する。まず、音声
認識用の語彙をオーディオ用に限定する（例えば、ナビゲーション用の語彙を外す）こと
によって、音声認識力を高める（ステップＳ６１）。別の実施の形態では、音声認識用の
語彙を限定するのではなく、語彙の重み付けを行うようにしても良い。例えば、ナビゲー
ション用の語彙のヒット確率を下げるように重み付けを行う。
【００８３】
次に、オーディオ用のメニュー画面を表示パネル２０ｂへ表示させると共に（ステップ
Ｓ６２）、対話シナリオデータＤ９に基づいて、所定の案内文データを作成し、スピーカ
２５より音声で所定の案内文を出力させる（ステップＳ６３）。例えば、「音楽を流しま
しょうか？それともテレビ番組やラジオ番組を流しましょうか？」といった案内文をスピ
ーカ２５より出力させる。
【００８４】
その後、マイクロフォン２１から得られる情報に基づいて、ユーザーからの「音楽」に
相当する応答があったか否かを判断し（ステップＳ６４）、ユーザーからの「音楽」に相
当する応答があったと判断すれば、次に、『楽曲再生処理』（図１１参照）を行う（ステ
ップＳ６５）。
【００８５】
一方、ユーザーからの「音楽」に相当する応答はないと判断すれば、次に、ユーザーか
らの「テレビ」に相当する応答があったか否かを判断し（ステップＳ６６）、「テレビ」
に相当する応答があったと判断すれば、次に、『テレビ放送受信処理』（図１７参照）を
行う（ステップＳ６７）。
【００８６】
ユーザーからの「テレビ」に相当する応答はないと判断すれば、次に、ユーザーからの
「ラジオ」に相当する応答があったか否かを判断し（ステップＳ６８）、「ラジオ」に相
当する応答があったと判断すれば、次に、『ラジオ放送受信処理』を行う（ステップＳ６
９）。なお、『ラジオ放送受信処理』は、図１７で説明する『テレビ放送受信処理』と同
様であるので、その説明を省略する。
【００８７】
一方、ステップＳ６８において、ユーザーからの「ラジオ」に相当する応答はないと判
断すれば、ステップＳ６４へ戻る。なお、所定の時間（例えば、６秒）が経過しても、「
音楽」、「テレビ」、「ラジオ」のいずれの応答もない場合は、「音楽」と判断して、ス
テップＳ６５へ進むようにしても良い。また、「音楽」、「テレビ」、「ラジオ」の応答
については音声に限定されず、表示パネル２０ｂへのタッチ操作などを採用しても良い。
【００８８】
次に、実施の形態（１）に係るコンテンツ選択装置を含んで構成される、オーディオ装
置１１におけるマイコン１２（オーディオ用制御部１３）の行う『楽曲再生処理』（図１
０のステップＳ６５）を図１１に示したフローチャートに基づいて説明する。まず、再生
リストの作成（楽曲の選択）に使用するプロファイル情報を設定し、設定したプロファイ
ル情報をＨＤＤ３１から読み出すなどの『プロファイル情報の設定・読出処理』を行い（
ステップＳ７１）、その後、ステップＳ７２へ進む。
【００８９】
なお、ここでの『プロファイル情報の設定・読出処理』は、図９に示した『プロファイ
ル情報の設定・読出処理』と同様であり、楽曲の選択に使用するプロファイル情報として
は、ユーザー本人のプロファイル情報に限定されず、ユーザー本人以外（例えば、実在の
人物、想像の人物、統計的データに基づいて作成された平均的な人物）のプロファイル情
報であっても良い。
【００９０】
例えば、ユーザーが好きなアーティストのプロファイル情報を、楽曲の選択に使用する
プロファイル情報に設定して、ユーザーが好きなアーティストがよく聴く楽曲を選択する
ようにしたり、また、ユーザーがよく聴く楽曲を同じようによく聴いている人のプロファ
イル情報を、楽曲の選択に使用するプロファイル情報に設定して、前記人がよく聴いてい
る楽曲（すなわち、ユーザーが好む可能性が高い楽曲）を選択するようにしても良い。
【００９１】
ステップＳ７２では、ＨＤＤ３１から読み出したプロファイル情報に基づいて、再生リ
ストを作成するための選択条件（すなわち、楽曲を選択するための選択条件）を設定する
。例えば、ユーザーの友人がスピード感のない楽曲（ゆっくりした楽曲）や演歌を聴くこ
とを好むのであれば、『スピードレベル２以下』と『演歌』とを選択条件に設定する。ま
た、より具体的に『×××』という楽曲を聴くことが好きであれば、それを選択条件にし
ても良い。また、ユーザーの過去の聴取履歴に基づいて、昨日楽曲『□△☆』を聴取して
いれば、『□△☆以外』を選択条件に設定しても良い。
次に、設定した前記選択条件に基づいて、再生リストを作成する『再生リスト作成処理
』（図１２参照）を行い（ステップＳ７３）、その後、作成した再生リストに従って、楽
曲を再生する『リスト再生処理』（図１３参照）を行う（ステップＳ７４）。
【００９２】
次に、実施の形態（１）に係るコンテンツ選択装置を含んで構成される、オーディオ装
置１１におけるマイコン１２（オーディオ用制御部１３）の行う『再生リスト作成処理』
（図１１のステップＳ７３）を図１２に示したフローチャートに基づいて説明する。まず
、車両Ｍの走行環境条件などに関する情報（例えば、日付、曜日、時刻、時間帯、季節、
気象、走行中の道路の種別）を取得し（ステップＳ８１）、取得した情報に基づいて、楽
曲の再生順序に関する再生順序条件を設定する（ステップＳ８２）。例えば、季節が春や
夏であれば、段々と盛り上がるような順序で楽曲が再生されるように前記再生順序条件を
設定したり、季節が秋と冬であれば、段々と大人しくなってくるような順序で楽曲が再生
されるように前記再生順序条件を設定する。
【００９３】
次に、楽曲を選択するための選択条件、及び再生順序条件に基づいて、ＨＤＤ３１に記
録されている楽曲の中から、前記選択条件、及び前記再生順序条件を満たす、第１番目に
再生すべき楽曲を選択する（ステップＳ８３）。次に、楽曲を選択するための前記選択条
件、及び前記再生順序条件に基づいて、ＨＤＤ３１に記録されている楽曲の中から、前記
選択条件、及び前記再生順序条件を満たす、最後に再生すべき楽曲を選択する（ステップ
Ｓ８４）。
【００９４】
次に、目的地Ｇが設定されていて、目的地Ｇへの誘導処理が行われているか否かを判断
する（ステップＳ８５）。目的地Ｇへの誘導処理が行われていると判断すれば、ドライブ
中に楽曲の再生を終了させるために（すなわち、目的地Ｇへ到達するまでに楽曲の再生を
終了せるために）、目的地Ｇへ到達するまでに要する時間Ｔａ、１曲目の再生時間、及び
最終曲の再生時間に基づいて、残り再生可能な時間（＝時間Ｔａ−１曲目の再生時間−最
終曲の再生時間）を算出し（ステップＳ８６）、その後、ステップＳ８８へ進む。
【００９５】
一方、目的地Ｇへの誘導処理は行われていないと判断すれば、総再生時間を６０分に設
定して、残り再生可能な時間（＝６０分−１曲目の再生時間−最終曲の再生時間）を算出
し（ステップＳ８７）、その後、ステップＳ８８へ進む。なお、この総再生時間について
は、ユーザーに予め設定させておくようにしたり、その時々で自由に設定できるようにし
ても良い。
【００９６】
ステップＳ８８では、前記選択条件、前記再生順序条件、及び残り再生可能な時間に基
づいて、２曲目以降の楽曲（最終曲は除く）の選択を行い、その選択結果に基づいて、再
生リストを表示パネル２０ｂへ表示することによって、再生リストをユーザーへ紹介する
（ステップＳ８９）。次に、対話シナリオデータＤ９に基づいて、所定の案内文データを
作成し、スピーカ２５より音声で所定の案内文を出力させる（ステップＳ９０）。例えば
、「再生リストはこれでよろしいでしょうか？」といった案内文をスピーカ２５より出力
させる。
【００９７】
その後、マイクロフォン２１から得られる情報に基づいて、ユーザーからの「Ｙｅｓ」
に相当する応答があったか否かを判断し（ステップＳ９１）、ユーザーからの「Ｙｅｓ」
に相当する応答があったと判断すれば、次に、これら選択した楽曲に関する情報（例えば
、楽曲名、歌手名、ジャンル）と、誰のプロファイル情報を使用したのかとを、現在の時
間（例えば、年月日、時刻）と対応づけて楽曲聴取履歴情報としてＨＤＤ３１に記憶させ
る（ステップＳ９２）。
【００９８】
なお、選択した楽曲については、ユーザーが実際に聴取するかどうか分からないので、
別の実施の形態では、前記楽曲が実際に再生開始（又は完了）したときに、楽曲情報を楽
曲聴取履歴情報としてＨＤＤ３１へ記憶させるようにしても良い。また、さらに別の実施
の形態では、ユーザーにより再生が中止された場合、ユーザーは当該楽曲を好んでいない
と判定し、該判定結果をユーザーの履歴情報としてＨＤＤ３１に記憶させるようにしても
良い。この履歴情報を用いれば、ユーザーの好まない楽曲を選択する可能性を低くするこ
とができる。
【００９９】
一方、「Ｙｅｓ」に相当する応答はないと判断すれば、次に、ユーザーからの「Ｎｏ」
に相当する応答があったか否かを判断し（ステップＳ９３）、「Ｎｏ」に相当する応答が
あったと判断すれば、再生リストを変更し得る環境を設定し（ステップＳ９４）、ユーザ
ーによる再生リストの変更指示が完了したと判断すれば（ステップＳ９５）、前記変更指
示に基づいて、再生リストを変更し（ステップＳ９６）、その後、ステップＳ８９へ戻る
。
【０１００】
一方、ステップＳ９３において、ユーザーからの「Ｎｏ」に相当する応答はないと判断
すれば、ステップＳ９１へ戻る。なお、所定の時間（例えば、１０秒）が経過しても、「
Ｙｅｓ」、「Ｎｏ」のいずれの応答もない場合は、「Ｙｅｓ」と判断して、ステップＳ９
２へ進むようにしても良い。また、「Ｙｅｓ」、「Ｎｏ」、「ナビゲーション」、「オー
ディオ」の応答については音声に限定されず、表示パネル２０ｂへのタッチ操作などを採
用しても良い。
【０１０１】
次に、実施の形態（１）に係るコンテンツ選択装置を含んで構成される、オーディオ装
置１１におけるマイコン１２（オーディオ用制御部１３）の行う『リスト再生処理』（図
１１のステップＳ７４）を図１３に示したフローチャートに基づいて説明する。まず、目
的地Ｇが設定されていて、目的地Ｇへの誘導処理が行われているか否かを判断する（ステ
ップＳ１０１）。
【０１０２】
目的地Ｇへの誘導処理が行われていると判断すれば、再生リスト、及び楽曲の再生状況
に基づいて、再生リストに含まれている楽曲のうち、未再生の部分を再生するのに必要と
なる時間Ｔｂを算出し（ステップＳ１０２）、次に、目的地Ｇへ到達するまでに要する時
間Ｔａが時間Ｔｂ以上であるか否か（すなわち、再生が予定されていた楽曲をドライブ中
に再生することができるか否か）を判断する（ステップＳ１０３）。
【０１０３】
再生可能である（Ｔａ≧Ｔｂ）と判断すれば、次に、時間Ｔａが時間Ｔｃ（＝時間Ｔｂ
＋時間α）より大きいか否かを判断する（ステップＳ１０４）。例えば、時間αを１０分
に設定し、楽曲の再生が目的地Ｇへ到着するよりも随分と前で終了してしまうか否かを判
断する。時間Ｔａが時間Ｔｃより大きい（すなわち、目的地Ｇへの到着よりも随分と前で
楽曲の再生が終了してしまう）と判断すれば、再生速度をダウンさせて（ステップＳ１０
５）、その後、ステップＳ１０７へ進む。一方、時間Ｔａが時間Ｔｃより大きくないと判
断すれば、そのままステップＳ１０７へ進む。
【０１０４】
なお、ここでは、再生速度をダウンさせて、目的地Ｇへの到着よりも随分と前で楽曲の
再生が終了してしまうといった事態が生じるのを回避するようにしているが、前記事態を
回避する方法はこれに限定されず、別の実施の形態では、例えば、各楽曲間の待機時間を
延長させたり、各楽曲の終盤部分をリピートさせるようにしても良い。
【０１０５】
また、ステップＳ１０３において、時間Ｔａが時間Ｔｂ以上でない（すなわち、再生リ
ストの楽曲を再生し終る前に、目的地Ｇへ到着する）と判断すれば、再生速度をアップさ
せて（ステップＳ１０６）、その後、ステップＳ１０７へ進む。なお、ここでは、再生速
度をアップさせて、再生が予定されていた楽曲がドライブ中に再生されないといった事態
が生じるのを回避するようにしているは、前記事態を回避する方法はこれに限定されず、
別の実施の形態では、例えば、各楽曲間の待機時間を短縮又はカットさせたり、各楽曲の
終盤部分のカット又はフェードアウトさせるようにしても良い。
【０１０６】
ステップＳ１０７では、ＨＤＤ３１から楽曲データを読み出し、再生リストに従って楽
曲を再生し、次に、再生リストの全ての楽曲の再生が完了したか否かを判断し（ステップ
Ｓ１０８）、再生リストの全ての楽曲の再生が完了したと判断すれば、『リスト再生処理
』を終了する。一方、完了していないと判断すれば、ステップＳ１０１へ戻る。
【０１０７】
次に、別の実施の形態での『リスト再生処理』（図１１のステップＳ７４）を図１４に
示したフローチャートに基づいて説明する。まず、目的地Ｇが設定されていて、目的地Ｇ
への誘導処理が行われているか否かを判断し（ステップＳ１１１）、目的地Ｇへの誘導処
理が行われていると判断すれば、再生リスト、楽曲の再生状況、及び目的地Ｇへ到達する
までに要する時間Ｔａに基づいて、ドライブ中（車両Ｍが目的地Ｇへ到達するまで）に、
再生可能であるかどうかを楽曲毎に判定する（ステップＳ１１２）。
【０１０８】
この判定結果に基づいて、例えば、図１５に示したような画面を表示パネル２０ｂへ表
示させることによって、どの楽曲までが再生可能であるのかをユーザーへ知らせる（ステ
ップＳ１１３）。１曲目『○○○』から４曲目『□□□』までは再生が終了していること
が示され（黒色表示）、５曲目『☆☆☆』が再生中（青色点滅表示）で、６〜８曲目は再
生可能（青色表示）で、９曲目と１０曲目が再生不可（赤色表示）であることが示されて
いる。また、さらに別の実施の形態では、再生可能、不可の２段階ではなく、３段階以上
にして再生可能状況を示すようにしても良い。例えば、図１６に示したように、９曲目の
『□☆☆』を再生微妙（黄色表示）であると示すようにしても良い。
【０１０９】
次に、再生リストの順序を変更し得る環境を設定し（ステップＳ１１４）、ユーザーに
よる再生リストの順序変更の指示がなされたと判断すれば（ステップＳ１１５）、前記指
示に基づいて、再生リストの再生順序を変更し（ステップＳ１１６）、その後、ステップ
Ｓ１１７へ進む。一方、再生リストの順序変更の指示がなされなかったと判断すれば、ス
テップＳ１１６を飛ばして、そのままステップＳ１１７へ進む。
【０１１０】
ステップＳ１１７では、ＨＤＤ３１から楽曲データを読み出し、再生リストに従って楽
曲の再生し、次に、再生リストの全ての楽曲の再生が完了したか否かを判断し（ステップ
Ｓ１１８）、再生リストの全ての楽曲の再生が完了したと判断すれば、『リスト再生処理
』を終了する。一方、完了していないと判断すれば、ステップＳ１１１へ戻る。
【０１１１】
なお、ここでは再生リスト（変更後の再生リストも含む）の再生順序に従って、その順
序通りに、楽曲を再生する場合について説明しているが、別の実施の形態では、再生リス
トの再生順序通りではなく、ランダムな順序での再生指示を、ユーザーが行い得る環境を
設定するようにし、ランダムな順序での再生指示があった場合、再生リストの再生順序通
りではなく、ランダムな順序での楽曲再生を行うようにしても良い。これにより、例えば
、始めは乗りの良い楽曲が演奏され、途中は静かな楽曲が演奏され、最後はバラードが演
奏されるといった、ある決まったかたちでの演奏ではなく、ユーザーが希望すれば、決ま
りのないかたちでの演奏を楽しむことができるようになる。
【０１１２】
次に、実施の形態（１）に係るコンテンツ選択装置を含んで構成される、オーディオ装
置１１におけるマイコン１２（オーディオ用制御部１３）の行う『テレビ放送受信処理』
（図１０のステップＳ６７）を図１７に示したフローチャートに基づいて説明する。まず
、テレビ番組の選択に使用するプロファイル情報を設定し、設定したプロファイル情報を
ＨＤＤ３１などから読み出し（ステップＳ１２１）、ステップＳ１２２へ進む。なお、こ
こでの『プロファイル情報の設定・読出処理』については、図９に示した処理と同様であ
るので、その説明を省略する。
【０１１３】
ステップＳ１２２では、ＨＤＤ３１から読み出したプロファイル情報に基づいて、テレ
ビ番組を選択するための選択条件を設定する。例えば、ユーザーの好きなアーティストが
スポーツ番組を視聴することを好むのであれば、『スポーツレベル４以上』と選択条件に
設定する。また、より具体的に『スポーツ○×』というテレビ番組を視聴することが好き
であれば、それを選択条件にしても良い。
【０１１４】
次に、移動体通信機２６を使って、テレビ番組の内容に関する情報を提供しているサー
バーから前記情報を取得し（ステップＳ１２３）、取得した情報、及び前記選択条件に基
づいて、受信可能なものの中から前記選択条件を満たす番組を選択し（ステップＳ１２４
）、選択した番組を視聴するために、放送波受信機１６における受信周波数を調整し、受
信したテレビ番組の映像を表示パネル２０ｂに表示すると共に、音声をスピーカ２５から
出力する（ステップＳ１２５）。
【０１１５】
その後、視聴したテレビ番組の内容に関する情報と、誰のプロファイル情報を使用した
のかとを、現在の時間（例えば、年月日、時刻）と対応づけてテレビ番組視聴履歴情報と
してＨＤＤ３１に記憶させる（ステップＳ１２６）。なお、時間については、受信開始の
時間だけでなく、受信終了の時間についても、履歴情報としてＨＤＤ３１に記憶させるよ
うにしても良い。
【０１１６】
また、ここでは番組の内容に関する情報を、視聴履歴情報としてＨＤＤ３１に記憶させ
るようにしているが、別の実施の形態では、視聴した放送番組を放送している放送局に関
する情報（例えば、放送局の名称、周波数、ジャンル）を、視聴履歴情報としてＨＤＤ３
１に記憶させるようにしても良い。
【０１１７】
次に、実施の形態（１）に係るコンテンツ選択装置を含んで構成される、オーディオ装
置１１におけるマイコン１２（オーディオ用制御部１３）の行う『ユーザー操作処理』（
図５のステップＳ１４）を図１８に示したフローチャートに基づいて説明する。まず、ナ
ビゲーション機能及びオーディオ機能のいずれかの稼働選択が可能な画面を表示パネル２
０ｂへ表示させる（ステップＳ１３１）。
【０１１８】
次に、ユーザーによるナビゲーション機能を稼働させる指示が行われたか否かを判断し
（ステップＳ１３２）、ユーザーによるナビゲーション機能を稼働させる指示が行われた
と判断すれば、ナビゲーション用制御部１４に対して目的地設定などのナビゲーション処
理（図１９参照）を行うように指示する（ステップＳ１３３）。
【０１１９】
次に、ユーザーからのオーディオ機能を稼働させる指示があったか否か（例えば、リモ
コン１９に設けられているナビゲーション機能とオーディオ機能とを切り替えるための切
替スイッチが押下されたか否か）を判断し（ステップＳ１３４）、ユーザーからのオーデ
ィオ機能を稼働させる指示があったと判断すれば、ステップＳ１３６へ進む。
【０１２０】
一方、ステップＳ１３２において、ナビゲーション機能を稼働させる指示が行われなか
ったと判断すれば、次に、ユーザーによるオーディオ機能を稼働させる指示が行われたか
否かを判断し（ステップＳ１３５）、ユーザーによるオーディオ機能を稼働させる指示が
行われたと判断すれば、ステップＳ１３６へ進む。一方、オーディオ機能を稼働させる指
示が行われなかったと判断すれば、ステップＳ１３２へ戻る。
【０１２１】
ステップＳ１３６では、ユーザーによる楽曲を再生させる操作が行われたか否か（例え
ば、ＣＤに収録されている楽曲を再生させる操作や、ＨＤＤ３１に記憶されている楽曲を
再生させる操作が行われたか否か）を判断する。楽曲を再生させる操作が行われたと判断
すれば、前記操作に基づいて、ユーザーの所望する楽曲を再生し（ステップＳ１３７）、
再生した楽曲に関する情報（例えば、楽曲名、歌手名、ジャンル）を、現在の時間（例え
ば、年月日、時刻）と対応づけて、楽曲聴取履歴情報としてＨＤＤ３１に記憶させる（ス
テップＳ１４１）。
【０１２２】
一方、楽曲を再生させる操作は行われていないと判断すれば、次に、ユーザーによるテ
レビ放送又はラジオ放送を受信する操作が行われたか否かを判断し（ステップＳ１３８）
、前記操作が行われたと判断すれば、前記操作に基づいて、ユーザーの所望するテレビ放
送又はラジオ放送を受信するようにして、映像については表示パネル２０ｂへ表示させ、
音声についてはスピーカ２５から出力させる（ステップＳ１３９）。
【０１２３】
次に、移動体通信機２６を使って、テレビ番組やラジオ番組の内容に関する情報を提供
しているサーバーから、受信している番組の内容に関する情報（例えば、ジャンル、出演
者、番組内で流れた楽曲）を取得し（ステップＳ１４０）、取得した情報（すなわち、視
聴したテレビ番組又は聴取したラジオ番組の内容に関する情報）を、現在の時間（例えば
、年月日、時刻）と対応づけて、番組視聴履歴情報としてＨＤＤ３１に記憶させる（ステ
ップＳ１４１）。
【０１２４】
なお、ここでは番組の内容に関する情報を、視聴履歴情報としてＨＤＤ３１に記憶させ
るようにしているが、別の実施の形態では、視聴又は聴取した放送番組を放送している放
送局に関する情報（例えば、放送局の名称、周波数、ジャンル）を、視聴履歴情報として
ＨＤＤ３１に記憶させるようにしても良い。
【０１２５】
次に、実施の形態（１）に係るコンテンツ選択装置を含んで構成される、オーディオ装
置１１におけるマイコン１２（ナビゲーション用制御部１４）の行う処理動作［１−３］
を図１９に示したフローチャートに基づいて説明する。なお、この処理動作［１−３］は
メイン制御部であるオーディオ用制御部１３からナビゲーション処理を行う指示がなされ
た場合（図１８のステップＳ１３３）に行われる動作である。
【０１２６】
まず、ナビゲーション用のメニュー画面を表示パネル２０ｂへ表示させ（ステップＳ１
５１）、次に、ユーザーによる目的地設定の操作が行われたか否かを判断する（ステップ
Ｓ１５２）。目的地設定の操作が行われたと判断すれば、ユーザーにより設定された目的
地Ｇに関する情報（例えば、施設名、所在地、ジャンル）を、現在の時間（例えば、年月
日、時刻）と対応づけて、訪問履歴情報としてＨＤＤ３１に記憶させる（ステップＳ１５
３）。なお、目的地Ｇとして設定した場所については、ユーザーが実際に訪問するかどう
か分からないので、別の実施の形態では、前記場所へ到達したときに、該場所に関する情
報を訪問履歴情報としてＨＤＤ３１へ記憶させるようにしても良い。
【０１２７】
次に、目的地Ｇまで車両Ｍを誘導する誘導処理を行い（ステップＳ１５４）、車両Ｍが
目的地Ｇへ到達したか否かを判断する（ステップＳ１５５）。車両Ｍが目的地Ｇへ到達し
たと判断すれば、処理動作［１−３］を終了する。一方、車両Ｍは目的地Ｇへ到達してい
ないと判断すれば、ステップＳ１５４へ戻る。また、ステップＳ１５２において、ユーザ
ーによる目的地設定の操作が行われていないと判断すれば、ユーザーによる別の指示に基
づいて、別の処理を行う（ステップＳ１５６）。
【０１２８】
上記実施の形態（１）に係るコンテンツ選択装置を含んで構成される、オーディオ装置
１１では、ある特定者のプロファイル情報に基づいて、ユーザーへ提供するコンテンツを
選択する場合について説明しているが、別の実施の形態では、ユーザーのプロファイル情
報と、多人数のプロファイル情報から得られる統計的データとに基づいて、ユーザーへ提
供するコンテンツ（例えば、目的地とするための場所、再生するための楽曲、受信するた
めの放送番組）を選択するようにしても良い。
【０１２９】
例えば、ユーザーのプロファイル情報「楽曲ａをよく聴いている（又は好む）」と、多
人数のプロファイル情報から得られる統計的データ「楽曲ａをよく聴いている（又は好む
）者の多くは、楽曲ｂをよく聴いている（又は好んでいる）」とに基づいて、ユーザーへ
提供するコンテンツを選択することによって、ユーザーが好むと推定されるコンテンツ「
楽曲ｂ」を選択することができる。
【０１３０】
上記実施の形態（１）に係るコンテンツ選択装置を含んで構成される、オーディオ装置
１１では、個人の行為から得られる情報（例えば、訪問した場所に関する情報として、施
設名、所在地、ジャンル、楽曲に関する情報として、楽曲名、歌手名、ジャンル、視聴し
たテレビ番組の内容に関する情報として、番組名、ジャンル、出演者、流れた楽曲）をプ
ロファイル情報として収集したり、前記個人の行為から得られる情報に基づいて、ユーザ
ーへ提供するコンテンツを選択する場合について説明しているが、別の実施の形態では、
前記個人の行為から得られる情報に基づいて、前記個人の特有の性質を求め、その性質を
示した情報をプロファイル情報として収集したり、前記情報に基づいて、ユーザーへ提供
するコンテンツを選択するようにしても良い。
【０１３１】
例えば、前記個人の行為から得られる情報「クラシック音楽の流れる番組をよく視聴し
ている」に基づいて、前記個人に特有の性質「クラシック音楽が好き」を求めることがで
き、これを学習データＤ３（図２参照）としてＨＤＤ３１に記憶させたり、プロファイル
データＤ１を更新させても良い。
【０１３２】
上記実施の形態（１）に係るコンテンツ選択装置を含んで構成される、オーディオ装置
１１では、個人の行為から得られる情報のうち、訪問した場所に関する情報、聴取した楽
曲に関する情報、及び視聴又は聴取した放送番組に関する情報を、プロファイル情報とし
て収集する場合について説明しているが、前記個人の行為から得られる情報はこれら情報
に限定されず、別の実施の形態では、例えば、前記個人が金銭を支払うことにより、購入
した商品又は受けたサービスに関する情報や、前記個人の所有又は使用する車両の種別に
関する情報などであっても良い。
【０１３３】
例えば、音楽ＣＤをよく購入する者は、音楽を聴くことが好きだと推定することができ
、高級車に乗っている者は、高級指向だと推定することができる。また、あるアーティス
トのＣＤをよく購入していれば、前記個人がそのアーティストを好きだと推定することが
できる。
【０１３４】
上記実施の形態（１）に係るコンテンツ選択装置を含んで構成される、オーディオ装置
１１では、訪問した場所に関する情報、聴取した楽曲に関する情報、及び視聴又は聴取し
た放送番組に関する情報を、プロファイル情報として収集しているので、場所や楽曲、放
送番組毎に、訪問した回数や聴取した回数、視聴した回数をカウントすることが可能とな
る。
【０１３５】
別の実施の形態では、場所や楽曲、放送番組毎に、訪問した回数や聴取した回数、視聴
した回数をカウントさせておくようにしても良い。これにより、前記個人の嗜好など、該
個人に特有の性質などをより精度良く求めることができる。また、ユーザーへ提供するコ
ンテンツの選択をより適切に、より効率良く行うことができるようになる。
【０１３６】
さらに、別の実施の形態では、ＣＤなどに記録されている楽曲が再生された場合や、Ｈ
ＤＤ３１に記憶されている楽曲が再生された場合だけでなく、テレビ番組やラジオ番組な
どで流れた場合についても、前記個人が聴取した回数としてカウントさせるようにしても
良い。これにより、実際に聴取した回数をきっちりとカウントすることができる。
【０１３７】
なお、ディジタル放送では、楽曲自体のデータ（音声データ）と共に送信される楽曲に
関する情報を示したデータを利用し、また、アナログ放送では、多重放送における多重送
信データを利用することによって、テレビ番組やラジオ番組などから流れた楽曲がどの楽
曲であるのか（すなわち、ユーザーがどの楽曲を聴取したのか）を認識することなどがで
きる。
【０１３８】
また、ここでは、単純に訪問や聴取、視聴した回数をカウントする場合（例えば、１ず
つカウントアップする場合）について説明しているが、別の実施の形態では、単純にカウ
ントアップするのではなく、重みを付加するようにしても良い。例えば、再生された楽曲
は「＋１」とするのに対し、再生を中止させた楽曲は「−２」とする。これにより、楽曲
毎の個人における重要度を求めることができる。
【０１３９】
また、さらに別の実施の形態では、前記個人の意思により楽曲が再生された場合には、
「＋１」とし、前記個人の意思とは別に楽曲が再生された場合（例えば、エージェントに
よって再生された場合）には、「＋０．５」とするようにしても良い。これにより、前記
重要度の精度をより一層高めることができる。
【図面の簡単な説明】
【０１４０】
【図１】本発明の実施の形態（１）に係るコンテンツ選択装置を含んで構成される、ナビゲーション機能を有したオーディオ装置の要部を概略的に示したブロック図である。
【図２】ＨＤＤに記憶されているデータの一部を示した図である。
【図３】ＨＤＤに記憶されている楽曲データ、及び楽曲情報に関するデータの一部を示した図である。
【図４】ＨＤＤに記憶されているユーザーのプロファイルデータの一部を示した図である。
【図５】実施の形態（１）に係るコンテンツ選択装置を含んで構成される、オーディオ装置におけるマイコン（オーディオ用制御部）の行う処理動作を示したフローチャートである。
【図６】表示パネルに表示される画面の表示例を示した図である。
【図７】実施の形態（１）に係るコンテンツ選択装置を含んで構成される、オーディオ装置におけるマイコン（ナビゲーション用制御部）の行う処理動作を示したフローチャートである。
【図８】実施の形態（１）に係るコンテンツ選択装置を含んで構成される、オーディオ装置におけるマイコン（ナビゲーション用制御部）の行う処理動作を示したフローチャートである。
【図９】実施の形態（１）に係るコンテンツ選択装置を含んで構成される、オーディオ装置におけるマイコン（ナビゲーション用制御部）の行う処理動作を示したフローチャートである。
【図１０】実施の形態（１）に係るコンテンツ選択装置を含んで構成される、オーディオ装置におけるマイコン（オーディオ用制御部）の行う処理動作を示したフローチャートである。
【図１１】実施の形態（１）に係るコンテンツ選択装置を含んで構成される、オーディオ装置におけるマイコン（オーディオ用制御部）の行う処理動作を示したフローチャートである。
【図１２】実施の形態（１）に係るコンテンツ選択装置を含んで構成される、オーディオ装置におけるマイコン（オーディオ用制御部）の行う処理動作を示したフローチャートである。
【図１３】実施の形態（１）に係るコンテンツ選択装置を含んで構成される、オーディオ装置におけるマイコン（オーディオ用制御部）の行う処理動作を示したフローチャートである。
【図１４】実施の形態（１）に係るコンテンツ選択装置を含んで構成される、オーディオ装置におけるマイコン（オーディオ用制御部）の行う処理動作を示したフローチャートである。
【図１５】表示パネルに表示される再生リストの表示例を示した図である。
【図１６】表示パネルに表示される再生リストの表示例を示した図である。
【図１７】実施の形態（１）に係るコンテンツ選択装置を含んで構成される、オーディオ装置におけるマイコン（オーディオ用制御部）の行う処理動作を示したフローチャートである。
【図１８】実施の形態（１）に係るコンテンツ選択装置を含んで構成される、オーディオ装置におけるマイコン（オーディオ用制御部）の行う処理動作を示したフローチャートである。
【図１９】実施の形態（１）に係るコンテンツ選択装置を含んで構成される、オーディオ装置におけるマイコン（ナビゲーション用制御部）の行う処理動作を示したフローチャートである。
【図２０】ＨＤＤに記憶されているデータの一部を示した図である。
【符号の説明】
【０１４１】
１１  オーディオ装置
１２  マイコン
１３  オーディオ用制御部
１４  ナビゲーション用制御部
１６  放送波受信機
２２  音声認識部
２３  音声合成部
３１  ＨＤＤ
【図１】
2005293195.tif 000003
【図２】
2005293195.tif 000004
【図３】
2005293195.tif 000005
【図４】
2005293195.tif 000006
【図５】
2005293195.tif 000007
【図６】
2005293195.tif 000008
【図７】
2005293195.tif 000009
【図８】
2005293195.tif 000010
【図９】
2005293195.tif 000011
【図１０】
2005293195.tif 000012
【図１１】
2005293195.tif 000013
【図１２】
2005293195.tif 000014
【図１３】
2005293195.tif 000015
【図１４】
2005293195.tif 000016
【図１５】
2005293195.tif 000017
【図１６】
2005293195.tif 000018
【図１７】
2005293195.tif 000019
【図１８】
2005293195.tif 000020
【図１９】
2005293195.tif 000021
【図２０】
2005293195.tif 000022